(57)【要約】【課題】子機が移動されたとしても、子機から送信されてきた画像がどの場所の画像であるかが分かるように、親機の表示部に表示されるコードレス電話装置を提供する【解決手段】子機５０の操作ボタン１４から入力された子機名を当該子機５０が載置されている充電器８０のＥＥＰＲＯＭ８４に充電器名として記憶する。また、子機５０を別の充電器８０に載置した場合、当該子機５０は、載置された充電器８０に記憶されている充電器名を取得し、制御部のＥＥＰＲＯＭ６１ｂに記憶されている子機名が当該充電器名に更新される。また、親機１０は、子機５０がカメラ５８で撮像した部屋の画像を子機名と共に受信し、これらを対応させてモニタ１６に表示する。これにより、使用者は、モニタ１６に表示されている画像が、どの部屋の画像か判断することができる。【選択図】図６
2008092165.tif 000002
【特許請求の範囲】
【請求項１】
複数の子機と、前記子機に対して無線接続される親機とからなるコードレス電話装置であって、
前記各子機は、
自身の子機名を設定する設定手段と、
前記設定手段により設定された前記子機名を記憶する子機名記憶手段と、
画像を撮像する撮像手段と、
前記撮像手段により撮像された画像の画像データを前記子機名記憶手段に記憶された子機名と共に前記親機に送信する送信手段とを備え、
前記親機は、
画像を表示する表示手段と、
前記子機から送信された画像データと子機名とを受信する受信手段と、
前記受信手段により受信された画像データに基づく画像と子機名とを対応付けて前記表示手段に表示させる表示制御手段と、
を備えることを特徴とするコードレス電話装置。
【請求項２】
前記子機を充電するための充電器を更に備え、
前記各充電器は、
自身の充電器名を記憶する充電器名記憶手段を備え、
前記各子機は、
前記充電器に載置されたとき当該充電器の充電器名記憶手段から充電器名を取得する充電器名取得手段と、
前記子機名記憶手段に記憶された子機名を前記充電器名取得手段により取得された充電器名に一致するように更新する更新手段と、を更に備え、
前記送信手段は、前記画像データを送信する際に、前記更新手段により更新された子機名を送信することを特徴とする、請求項１に記載のコードレス電話装置。
【請求項３】
前記各子機は、
前記設定手段を介して前記充電器名を設定する充電器名設定手段と、
当該子機が前記充電器に載置されたとき、前記充電器名設定手段により設定された充電器名を、前記充電器名記憶手段に書き込む充電器名書き込み手段と、
を更に備えることを特徴とする、請求項２に記載のコードレス電話装置。
【請求項４】
前記親機において、前記受信手段が複数の子機から画像と子機名を受信した場合に、
前記表示制御手段は、前記表示手段の画面を受信した画像数に応じて分割し、各子機から受信した画像データに基づく画像と子機名とを対応付けて分割された各画面に表示させることを特徴とする、請求項１乃至３のいずれかに記載のコードレス電話装置。
【請求項５】
前記各子機は、自身の使用状態が通話中であるか否かを検出する第１の検出手段と、
前記第１の検出手段により自身の使用状態が通話中であると検出された場合、前記撮像手段による画像の撮像を停止する停止手段と、
を更に備えことを特徴とする、請求項１乃至４のいずれかに記載のコードレス電話装置。
【請求項６】
前記各子機は、前記充電器に載置されているか否かを検出する第２の検出手段を更に備え、
前記停止手段は、前記第１の検出手段により自身の使用状態が通話中でないと検出され、かつ、前記第２の検出手段により充電器に載置されていないと検出された場合にも前記撮像手段による画像の撮像を停止することを特徴とする、請求項５に記載のコードレス電話装置。
【請求項７】
前記各子機は、自身の充電量を計測する計測手段を更に備え、
前記停止手段は、前記計測手段により計測された充電量が所定値未満の場合にも前記撮像手段による画像の撮像を停止することを特徴とする、請求項５または６に記載のコードレス電話装置。
【請求項８】
前記各子機の送信手段は、前記停止手段により画像の撮像を停止した場合、その停止した原因を表す原因データを前記子機名記憶手段に記憶された子機名と共に前記親機に送信し、
前記親機の表示制御手段は、前記受信手段を介して、子機から前記原因データと子機名とを受信した場合、その原因データと子機名とを対応付けて前記表示手段に表示させることを特徴とする、請求項５乃至７のいずれかに記載のコードレス電話装置。
【発明の詳細な説明】
【技術分野】
【０００１】
本願発明は、カメラが搭載された子機を有するコードレス電話装置に関する。
【背景技術】
【０００２】
従来、カメラ搭載子機を任意の場所に設置し、設置場所の画像を親機の表示部に表示するコードレス電話装置があった。例えば、特開２００４−１１２４４４号公報には、カメラを搭載したカメラ搭載子機と、カメラ搭載子機から送信されるカメラによる撮像画像のデータを無線にて受信し、撮像画像を表示部に表示する親機とを備えたことを特徴とするコードレス電話装置について記載されている。
【０００３】
【特許文献１】特開２００４−１１２４４４号公報
【発明の開示】
【発明が解決しようとする課題】
【０００４】
しかしながら、特開２００４−１１２４４４号公報に記載のコードレス電話装置は、カメラ搭載子機が１台だけの場合しか想定されていない。よって、親機の表示部には、カメラ搭載子機を設置した１つの場所の画像だけが表示されることになる。最近では、一軒の家の各部屋に子機を設置して、子機間通話を行う家庭も増えてきており、一台の親機に対して、２台以上（複数）の子機が接続されることも一般的になってきている。
【０００５】
複数のカメラ搭載子機が有る場合、親機の表示部に表示される画像も複数となることが想定され、どの子機から（どの場所）の画像であるかを直ちに区別することが難しいという問題があった。
【０００６】
本願発明は上記した事情のもとで考え出されたものであって、複数のカメラ搭載子機を備えたコードレス電話装置において、各子機からの画像を親機の表示部に表示させる場合、どの子機（どの場所）から送信されてきた画像であるかを容易に判別することが可能なコードレス電話装置を提供することをその目的としている。
【課題を解決するための手段】
【０００７】
上記目的を達成するために、請求項１に記載した発明のコードレス電話装置は、複数の子機と、前記子機に対して無線接続される親機とからなるコードレス電話装置であって、前記各子機は、自身の子機名を設定する設定手段と、前記設定手段により設定された前記子機名を記憶する子機名記憶手段と、画像を撮像する撮像手段と、前記撮像手段により撮像された画像の画像データを前記子機名記憶手段に記憶された子機名と共に前記親機に送信する送信手段とを備え、前記親機は、画像を表示する表示手段と、前記子機から送信された画像データと子機名とを受信する受信手段と、前記受信手段により受信された画像データに基づく画像と子機名とを対応付けて前記表示手段に表示させる表示制御手段とを備えることを特徴とする。
【０００８】
このようなコードレス電話装置によれば、複数の子機が親機に接続されている場合であっても、各子機の撮像手段により撮像された画像データが子機名と共に親機に送信されるため、親機では、画像と子機名とを対応付けて表示手段に表示することができる。よって、使用者は、表示手段に表示されている画像がどの子機からの画像であるかを容易に判断することができる。
【０００９】
また、請求項２に記載した発明のコードレス電話装置は、請求項１に記載のコードレス電話装置であって、前記子機を充電するための充電器を更に備え、前記各充電器は、自身の充電器名を記憶する充電器名記憶手段を備え、前記各子機は、前記充電器に載置されたとき当該充電器の充電器名記憶手段から充電器名を取得する充電器名取得手段と、前記子機名記憶手段に記憶された子機名を前記充電器名取得手段により取得された充電器名に一致するように更新する更新手段と、を更に備え、前記送信手段は、前記画像データを送信する際に、前記更新手段により更新された子機名を送信することを特徴とする。
【００１０】
このようなコードレス電話装置によれば、請求項１に記載のコードレス電話装置による効果に加えて、ある子機をそれまで載置していた充電器とは別の充電器に載置した場合、当該子機は、新たに載置された充電器に記憶されている充電器名を取得し、当該子機の子機名記憶手段に記憶される子機名が取得された充電器名に一致するように更新される。よって、子機名は、当該子機がそのとき載置されている充電器に付けられた充電器名と一致するようになる。また、親機は、子機が撮像手段により撮像した画像の画像データを更新された子機名と共に受信し、これらを対応させて表示手段に表示することができる。通常、充電器は移動する可能性が低いため、充電器名に撮像場所を特定できるような名称を付与しておくことで、仮に子機が別の場所の子機と入れ替わったとしても、その子機が充電器に一度載置されることで、子機名が撮像場所（充電器名による）と一致するように更新されるため、表示手段に表示されている画像と子機名とが一致することとなり、表示手段に表示される画像と子機名とが一致しない、といった不具合が生じることを防ぐことができる。
【００１１】
また、請求項３に記載した発明のコードレス電話装置は、請求項２に記載のコードレス電話装置であって、前記各子機は、前記設定手段を介して前記充電器名を設定する充電器名設定手段と、当該子機が前記充電器に載置されたとき、前記充電器名設定手段により設定された充電器名を、前記充電器名記憶手段に書き込む充電器名書き込み手段とを更に備えることを特徴とする。
【００１２】
このようなコードレス電話装置によれば、請求項２に記載のコードレス電話装置による効果に加えて、子機の設定手段を介して充電機名を設定することができ、充電器の充電器名記憶手段に対して容易に充電器名を記憶させることができる。
【００１３】
また、請求項４に記載した発明のコードレス電話装置は、請求項１乃至３のいずれかに記載のコードレス電話装置であって、前記親機において、前記受信手段が複数の子機から画像と子機名を受信した場合に、前記表示制御手段は、前記表示手段の画面を受信した画像数に応じて分割し、各子機から受信した画像データに基づく画像と子機名とを対応付けて分割された各画面に表示させることを特徴とする。
【００１４】
このようなコードレス電話装置によれば、請求項１乃至３に記載の電話装置による効果に加えて、親機は、受信した画像数に応じて表示手段の画面を分割し、すべての画像を１度に表示することができる。また、各画像に対応付けられた子機名も表示されるので、使用者は、各子機からの画像を一度に、混乱することなく見ることができる。
【００１５】
さらに、請求項５に記載した発明のコードレス電話装置は、請求項１乃至４のいずれかに記載のコードレス電話装置であって、前記各子機は、自身の使用状態が通話中であるか否かを検出する第１の検出手段と、前記第１の検出手段により自身の使用状態が通話中であると検出された場合、前記撮像手段による画像の撮像を停止する停止手段とを更に備えことを特徴とする。
【００１６】
このようなコードレス電話装置によれば、請求項１乃至４のいずれかに記載のコードレス電話装置による効果に加えて、子機が通話に使用中の場合は、画像を撮像する意味がないので撮像を停止して消費電力を削減することで、電力不足による通話の中断を防ぐことができる。また、親機の表示手段に無意味な画像が表示されることを防ぐことができる。
【００１７】
さらに、請求項６に記載した発明のコードレス電話装置は、請求項５に記載のコードレス電話装置であって、前記各子機は、前記充電器に載置されているか否かを検出する第２の検出手段を更に備え、前記停止手段は、前記第１の検出手段により自身の使用状態が通話中でないと検出され、かつ、前記第２の検出手段により充電器に載置されていないと検出された場合にも前記撮像手段による画像の撮像を停止することを特徴とする。
【００１８】
このようなコードレス電話装置によれば、請求項５に記載のコードレス電話装置による効果に加えて、子機は通話に使用中でなくても、充電器に載置されていない場合は、画像を撮像する意味がないので撮像を停止して消費電力を削減することで、電力不足による通話の中断を防ぐことができる。また、親機の表示手段に無意味な画像が表示されることを防ぐことができる。
【００１９】
また、請求項７に記載した発明のコードレス電話装置は、請求項５または６に記載のコードレス電話装置であって、前記各子機は、自身の充電量を計測する計測手段を更に備え、前記停止手段は、前記計測手段により計測された充電量が所定値未満の場合にも前記撮像手段による画像の撮像を停止することを特徴とする。
【００２０】
このようなコードレス電話装置によれば、請求項５または６に記載のコードレス電話装置による効果に加えて、子機の充電量が所定値未満の場合も、撮像を停止して消費電力を削減することで、電力不足による通話の中断を防ぐことができる。つまり、充電量が少ない状態で撮像手段による画像の撮像を継続すると、充電量が満たされるまでに余計に時間がかかることになり、電話装置本来の機能としての通話に支障を来たす可能性があるため、充電量が所定値未満の場合には、撮像を停止し、充電が早急に行われるようにする。
【００２１】
また、請求項８に記載した発明のコードレス電話装置は、請求項５乃至７のいずれかに記載のコードレス電話装置であって、前記各子機の送信手段は、前記停止手段により画像の撮像を停止した場合、その停止した原因を表す原因データを前記子機名記憶手段に記憶された子機名と共に前記親機に送信し、前記親機の表示制御手段は、前記受信手段を介して、子機から前記原因データと子機名とを受信した場合、その原因データと子機名とを対応付けて前記表示手段に表示させることを特徴とする。
【００２２】
このようなコードレス電話装置によれば、請求項５乃至７のいずれかに記載のコードレス電話装置による効果に加えて、子機の停止手段により画像の撮像が停止された場合、その原因データが子機側から送信されてくるため、画像が送信されてこない原因を親機の表示手段に表示させることで、ユーザが各子機がどのような原因により画像を送信できないかを容易に把握することができる。
【００２３】
本願発明のその他の特徴および利点は、添付図面を参照して以下に行う詳細な説明によって、より明らかとなろう。
【発明を実施するための最良の形態】
【００２４】
以下、本願発明の好ましい実施の形態を、図面を参照して具体的に説明する。
【００２５】
図１は本願発明に係るコードレス電話装置１を構成する親機１０、子機５０、充電器８０の外観を示す斜視図、図２（ａ）は子機５０の背面を示す斜視図、図２（ｂ）は充電器８０の外観を示す斜視図、図３は本願発明に係るコードレス電話装置１の電気的構成を示すブロック図である。
【００２６】
コードレス電話装置１は、図１に示すように、電話回線網１００（図３参照）に接続される親機１０と、無線回線で親機１０と通信を行う子機５０と、載置された子機５０に商用電源９０（図３参照）から受けた充電用電源を供給し、当該子機５０との間でデータを送受信する充電器８０とから構成されている。なお、図示しないが、子機５０は複数存在し、充電器８０も子機５０と同数存在する。
【００２７】
本願発明のコードレス電話装置１は、電話回線網１００を介した通常の通信機能の他に、任意の場所に充電器８０、および子機５０を設置することで、例えば各部屋の様子を監視する監視システムとしても機能するものである。すなわち、監視する各部屋に充電器８０が設置され、各充電器８０に載置された子機５０のカメラ（後述する）により部屋の画像が撮像され、無線通信で親機１０に送られた画像がモニタ（後述する）に表示される。
【００２８】
親機１０には、その親機本体ケース１１の側部に、親機１０本体から取り外した状態で使用する送受話器であるハンドセット（Ｈ／Ｓ）１２が取り付けられている。さらに、親機本体ケース１１の上面には、各種機能に関連する情報、例えば、電話帳に登録されている電話番号や、着信・発信履歴等を表示するための表示パネル１３と、相手側の電話番号を入力する等の各種操作をするときに使用される各種操作ボタン１４が備えられている。さらに、親機本体ケース１１の奥側には、後に詳述する「送信処理」により子機５０から送信されてくる画像データに基づく画像を表示するためのモニタ１６が備えられている。
【００２９】
また、子機５０には、ハンドセットの形状をした子機本体ケース５１の表面上に、各種機能に関連する情報を表示するための表示パネル５３と、相手側の電話番号を入力する等の各種操作をするための操作ボタン５４と、撮像を行うカメラ５８と、図２（ａ）に示すように、子機５０を動作させるバッテリ７１（図３参照）を充電器８０に接続するための充電用端子５５と、充電器８０との間でデータを送受信するためのデータ転送用端子５６とが備えられている。
【００３０】
また、充電器８０は、図２（ｂ）に示すように、子機５０を着脱可能に載置する載置用凹部８１ａが形成された充電器本体８１と、載置用凹部８１ａ内に設けられ、子機５０が載置用凹部８１ａ内に載置されると充電用端子５５に接触する充電用端子８２及びデータ転送用端子５６に接触するデータ転送用端子８３とから構成される。
【００３１】
子機５０のデータ転送用端子５６と充電器８０のデータ転送用端子８３とは、ＵＳＢ端子のような接続端子に限られず、ＩｒＤＡ規格のような光無線通信による接続を行うものでもよいし、充電端子で兼用させたものでもよい。本実施形態においては、この子機５０のデータ転送用端子５６と、充電器８０のデータ転送用端子８３とを介して、子機５０からの各種情報が充電器８０に転送されたり、充電器８０からの各種情報が子機５０に転送されたりすることで、情報のやり取りが実現されるように構成されている。
【００３２】
次に、コードレス電話装置１の電気的構成について説明する。
【００３３】
図３に示すように、親機１０は、親機１０全体の動作を制御する制御部２１、ハンドセット１２、表示パネル１３及び操作ボタン１４からなるユーザインタフェース部（以下、ユーザＩ／Ｆとする）１５、画像を表示するモニタ１６、音声信号を出力するスピーカ２３、予め記憶された各種音声信号に基づく音声を再生する再生部２５、子機５０との間で音声信号を含めた各種信号を無線通信により送受信する無線通信部２７、電話回線網１００経由で伝送される音声信号を入出力するＮＣＵ（network control unit）２９、親機１０内部における音声信号の伝送経路を切り換える経路切換部３１等を備えている。
【００３４】
制御部２１は、種々のデータを格納するＲＡＭ２１ａと、書き込み、消去も可能なＲＯＭであるＥＥＰＲＯＭ（Electronically Erasable and Programmable Read Only Memory）２１ｂを備えている。
【００３５】
無線通信部２７は、子機５０との間で音声信号を含めた各種信号を無線通信により送受信する。無線通信部２７は、子機５０に対して画像送信要求を送信し、子機５０のカメラ５８により撮像された画像データ、画像データを送信できない場合の各種信号、子機５０のＥＥＰＲＯＭ６１ｂに記憶されている子機名を表す子機名データを受信する。ここで、子機名とは、各子機５０に個別に設定される名前であり、本実施形態においては、操作ボタン５４を操作することで子機名を入力して設定することが可能であり、設定された子機名がＥＥＰＲＯＭ６１ｂの所定の領域に記憶される。子機名としては、その子機５０が通常使用されている部屋の名称、例えば、「リビング」、「玄関」といった名称が設定される。
【００３６】
子機５０が監視カメラとして機能する場合には、子機５０から無線通信部２７が受信した画像データまたは画像データを送信できない場合の各種信号と、その画像データの送信元を示す子機名データとに基づいて、制御部２１がモニタ１６に子機名と画像とを対応付けて表示する。複数の子機５０に画像送信要求を送信した場合、制御部２１は、モニタ１６の画面を分割し、すべての画像送信要求に対する子機５０からの返信に基づく画像を表示させるように制御する。図４は、４つの子機５０に画像送信要求を送信した場合のモニタ１６の画面表示例である。画面は４分割され、４つの各子機５０から送信された子機名データに基づく子機名が各子機名表示欄１０１ｂ、１０２ｂ、１０３ｂ、１０４ｂに表示され、各子機名表示欄の下に位置する各画像表示画面１０１ａ、１０２ａ、１０３ａ、１０４ａに、対応する画像または、画像データを送信できない場合に送信される各種信号の内容に基づいて、画像を送信できない旨の表示が、それぞれ表示されている。
【００３７】
経路切換部３１は、通話を開始するための操作が行われた場合に、親機１０が電話回線網１００を介して外部の相手側通信端末との間で送受信する音声信号の入出力に利用する伝送経路をハンドセット１２、あるいは子機５０との通信のための無線通信部２７のいずれかに切り換える。具体的には、ハンドセット１２が親機１０本体から取り外された場合は、伝送経路をハンドセット１２に切り換え、子機５０から送信された、電話回線網１００への接続要求信号を受信した場合には、伝送経路を無線通信部２７に切り換える。そして、ユーザＩ／Ｆ１５を介して相手先のダイヤル信号等の指令が入力されると、ＮＣＵ２９は、電話回線網１００へ接続し、各種信号を入出力する。また、このように構成された親機１０において、制御部２１は、電源が投入されると、子機５０の存在を確認するために子機５０に信号を送信する処理を実行する。
【００３８】
次に、子機５０は、子機５０全体の動作を制御する制御部６１、スピーカとマイク及びこれらを駆動する駆動回路からなる送受話部６３、表示パネル５３及び操作ボタン５４からなるユーザＩ／Ｆ５７、画像を撮像するためのカメラ５８、予め記憶された各種音声信号に基づく音声を再生する再生部６５、再生部６５により再生された音声を出力するスピーカ６７、親機１０（の無線通信部２７）との間で音声信号を含めた各種信号を無線通信により送受信する無線通信部６９、充電された電力にて子機５０を動作させるバッテリ７１、バッテリ７１に蓄えられた電力の残量を検知するための電力残量監視部７３、充電器８０の充電用端子８２と電気的に接続するための充電用端子５５、充電用端子５５を介して充電器８０から供給される充電用電源によりバッテリ７１を充電する充電回路７５、充電回路７５を介して充電用端子５５への電圧印加を検知するための電圧監視部７７、充電器８０のデータ転送用端子８３と各種情報を送受信するために接続されるデータ転送用端子５６を備えている。
【００３９】
尚、制御部６１は、種々のデータを格納するＲＡＭ６１ａと、書き込み、消去も可能なＲＯＭであるＥＥＰＲＯＭ６１ｂを備えている。
【００４０】
ＥＥＰＲＯＭ６１ｂには、制御用のプログラムが記憶されていると共に、同一の親機１０と無線通信を行う他の子機５０と区別するための識別番号（子機別に予め付与されるもの）、操作ボタン５４から入力された子機名、バッテリ７１に蓄えられた電力の残量値が必要量あるかを判定するための電力残量判定値や充電用端子５５に充電電圧が印可されていると検知するための電圧判定値等の各条件が記憶されており、また、ユーザＩ／Ｆ５７を介して使用者にて設定される情報等を記憶するための記憶領域が設けられている。なお、子機名は所定の場合に書き換えられるが、この子機名の書き換えについては後述する。
【００４１】
無線通信部６９は、親機１０との間で音声信号を含めた各種信号を無線通信により送受信する。また、本実施形態では、子機５０が監視カメラとして機能するように設定されている場合、無線通信部６９は、親機１０からの画像送信要求を受信すると、カメラ５８により撮像した画像データ、あるいは画像を送信できない場合の各種信号と、ＥＥＰＲＯＭ６１ｂに記憶している子機名データを親機１０に送信する。
【００４２】
電力残量監視部７３は、子機５０のバッテリ７１に蓄えられている電力の残量値を計測する。制御部６１は、電力残量監視部７３により計測された残量値がＥＥＰＲＯＭ６１ｂに予め記憶されている電力残量判定値未満である場合は、子機５０の充電量は不足していると判断する。充電量が不足している場合、電力不足により通話が中断されてしまうことがあり、電話機本来の機能が損なわれることになる。よって、制御部６１は、充電量不足と判断した場合は、カメラ５８による撮像を停止して電力の消費を減らし、充電に備えるために、親機１０に画像データを送信する代わりに各種信号としての「充電不足」（原因データに相当）の旨を示す信号を送信する。
【００４３】
電圧監視部７７は、子機５０が充電器８０に載置され、電源供給を受けているか否かを判断するために、充電用端子５５に印加される電圧を計測する。すなわち、充電器８０が商用電源９０に接続されて電源供給を受け、子機５０が当該充電器８０に載置されているときは、当該子機５０は充電用端子５５を介して電源供給を受けるので、電圧監視部７７が計測した電圧は、所定値以上となる。しかし、子機５０が充電器８０に載置されていないときは、電源供給を受けないので、電圧監視部７７が計測した電圧は、所定値未満となる。また、充電器８０が商用電源９０に接続していない等、電源供給を受けていないときも、電圧監視部７７が計測した電圧は、所定値未満となる。よって、制御部６１は、電圧監視部７７により計測された電圧がＥＥＰＲＯＭ６１ｂに記憶されている電圧判定値未満である場合は、子機５０が充電器８０に載置されていないか、電源供給を受けていないと判断する。
【００４４】
子機５０が充電器８０に載置されていない場合は、机の上に放置されていたりする等、画像を撮像しても意味が無いうえに、撮像を継続するとバッテリ７１に蓄えられた電力が消費されるし、電源供給を受けていない場合も撮像を継続するとバッテリ７１に蓄えられた電力が消費される。電源供給が無いままにバッテリ７１に蓄えられた電力が消費されると、電力不足により通話が中断されてしまうことがあり、電話機本来の機能が損なわれることになる。よって、制御部６１は、電圧監視部７７により計測された電圧が電圧判定値未満である場合は、カメラ５８による撮像を停止して、親機１０に画像データを送信する代わりに各種信号としての「充電不可能」の旨を示す信号（原因データに相当）を送信する。
【００４５】
なお、子機５０が通話中の場合も、画像を撮像しても意味が無いうえに撮像を継続するとバッテリ７１に蓄えられた電力が消費され、電力不足により通話が中断されてしまうことがあり、電話機本来の機能が損なわれることになる。よって、制御部６１は、子機５０が通話中の場合も、カメラ５８による撮像を停止して、親機１０に画像データを送信する代わりに各種信号としての「通話中」の旨を示す信号（原因データに相当）を送信する。
【００４６】
このように構成された子機５０の制御部６１は、子機５０に電源が投入されると図５に示す子機動作処理を繰り返し実行する。この子機動作処理では、通常の通話処理に加え、子機名更新処理、および、親機１０からの画像送信要求があった場合に送信処理、使用者からのメニュー表示指示が有った場合はメニュー選択処理が実行される。
【００４７】
次に、充電器８０は、子機５０の充電用端子５５と電気的に接続するための充電用端子８２、子機５０のデータ転送用端子５６との間で各種情報を送受信するために接続されるデータ転送用端子８３、書き込み、消去も可能なＲＯＭであるＥＥＰＲＯＭ８４を備えている。
【００４８】
充電器本体８１に子機５０が載置され、充電用端子８２と子機５０の充電用端子５５とが接触すると、充電器８０は、商用電源９０から直接電源供給を受け、子機５０のバッテリ７１に充電電圧を供給する。
【００４９】
また、子機５０は、充電器本体８１に載置され、子機５０のデータ転送用端子５６と充電器８０のデータ転送用端子８３とが接続されると、充電器８０のＥＥＰＲＯＭ８４に各種情報、例えば充電器名データの書き込み、読み出しを行うことができる。
【００５０】
このように構成されたコードレス電話装置１において、親機１０は、商用電源９０に接続された状態で、電話回線網１００を介して外部の相手側通信端末との間で外線通話が可能である。また、親機１０は、電源投入時には子機５０の状態（親機１０からの電波が届く圏内にあるか、充電がなされているか）や、台数を確認するために子機５０に確認信号を送信し、その確認信号に対して応答のあった子機５０との間で内線通話が可能である。また、子機５０が監視カメラとして機能する場合には、親機１０は、使用者に選択された子機５０に画像送信要求を送信し、その画像送信要求信号を受信した子機５０から送信されてくる画像データと子機名データとを受信し、表示用のデータに変換した上で、画像と子機名とを対応付けてモニタ１６に表示する。
【００５１】
一方、子機５０は、親機１０を介して、外部の相手側通信端末との間で外線通話が可能であるとともに、親機１０や他の子機５０との間で内線通話が可能である。また、子機５０は、使用者が操作ボタン５４（例えば、メニューキー）を操作することにより、子機５０の有する各機能を選択するためのメニュー画面を表示パネル５３に表示することができる。このメニュー画面においては、ＥＥＰＲＯＭ６１ｂに格納されている電話帳データ（図示せず）に対して新規に電話番号を登録する「電話番号登録メニュー」や、着信音量の設定変更等を行う「音量調整メニュー」等が表示される他、本実施形態においては、操作ボタン５４からの文字入力により子機５０に名称を設定する「子機名設定メニュー」が表示される。
【００５２】
そして、使用者が、例えば「子機名設定メニュー」を選択するための操作を操作ボタン５４から行うと、制御部６１は、文字列入力待ちの画面を表示パネル５３に表示させ、ユーザに対して操作ボタン５４からの入力を促す。使用者が文字列を入力し終わると、制御部６１は、入力された文字列を子機名データとしてＥＥＰＲＯＭ６１ｂに書き込む。
【００５３】
また、本実施形態における子機５０のメニュー画面には充電器８０に名称を設定するための「充電器名設定メニュー」を表示させることができ、使用者が、この「充電器名設定メニュー」を選択すると、制御部６１は、子機５０の操作ボタン５４を介して入力された充電器名を、データ転送用端子５６、８３を介して、充電器８０のＥＥＰＲＯＭ８４に充電器名データとして書き込む。
【００５４】
以上のように、本実施形態では、子機５０からの操作により、子機５０自身の名称（例えば設置場所やユーザ名）を子機名として設定し、ＥＥＰＲＯＭ６１ｂの子機名記憶領域（図示せず）に記憶させることができる。また、充電器８０に対しても名称を充電機名として設定することができるが、充電器自身には名称を直接入力するための構成が備えられていないため、子機５０からの操作により設定される。まず、充電機名設定メニューを選択し、そこで子機５０の操作ボタン５４からの文字入力により充電機名を設定し、一旦ＲＡＭ６１ａに仮に記憶させておく。次に、この子機５０を、例えば、名称を設定したい充電器８０に載置することで、データ転送用端子５６，８３を介して、名称を送信することの指令、充電器名データ等が充電器８０側に送信されて、ＥＥＰＲＯＭ８４の充電器名記憶領域（図示せず）に充電器名データが記憶される。ここで、充電器８０に記憶された充電器名は、再度子機５０からのメニュー操作により充電器名８０の変更が実行されない限り変更されることはない。
【００５５】
次に、子機名の書き換えについて説明する。
【００５６】
子機５０は、不使用時には充電のために充電器８０に載置されるが、自身に接続線がなく自由に移動されるため、初めに載置されていた部屋の充電器８０とは別の部屋の充電器８０に載置されることがある。その場合、子機５０が送信する画像は、現在載置されている充電器８０が設置されている部屋の画像となる。しかし、子機５０には初めに載置されていた充電器８０が設置されている部屋の名称が子機名として記憶されているので、撮像した画像データと共にその子機名データを親機１０に送信すると、親機１０でモニタ１６に表示する画像とその名称（設置場所）とが一致しないことになる。例えば、ある子機５０に対して「リビング」という子機名が記憶されて、その子機５０が玄関に設置されている充電器８０にたまたま載置されるケースがある。そうした場合、子機５０は玄関の画像データを親機１０に送信すると共に、子機名データとして「リビング」を送信してしまうため、親機１０は、モニタ１６に、玄関の画像と「リビング」という名称を対応つけて表示してしまう。つまり、親機１０は、受信した画像データがどの設置場所の画像かを送信元の子機５０の子機名で正しく判別することができない。
【００５７】
これに対し、充電器８０は、各部屋に設置された後は通常は移動されないので、充電器８０に設定された名称である充電器名を画像と共に送信すれば、親機１０は、受信した画像データがどの設置場所の画像かを正しく判別して、モニタ１６に表示することができる。そこで、本実施形態では、子機５０が載置されている充電器８０の充電器名を画像データと共に送信する。具体的には、子機５０は、充電器８０に載置されたとき、データ転送用端子５６を介して、載置された充電器８０のＥＥＰＲＯＭ８４の充電器名記憶領域に記憶されている充電器名データを取得して、自身のＥＥＰＲＯＭ６１ｂの子機名記憶領域に記憶されている子機名を、取得した充電器名に書き換える処理を行う。これにより、子機５０の子機名が充電器名と一致することとなり、上記の例では、子機５０の子機名が「リビング」で記憶されていたものが、玄関の充電器８０に載置されることで、自動的に子機名が「玄関」に更新され、子機５０が、カメラ５８で撮像した画像の画像データを送信するとき、ＥＥＰＲＯＭ６１ｂに記憶されている子機名「玄関」を子機名データとして共に送信する。その結果、親機１０で表示される画像と名称（設置場所）とが一致したものとなる。
【００５８】
次に、子機５０の制御部６１が実行する子機動作処理の手順について、図５に示すフローチャートを参照して説明する。図５は、本実施形態に係る子機５０の制御部６１で実行される子機動作処理を示すフローチャートである。なお、この子機動作処理は、バッテリ７１に蓄えられた電力により制御部６１が起動することにより開始され、電力が無くなるまで繰り返し実行される処理である。
【００５９】
制御部６１が起動すると、まず、起動信号の有無が判別される（Ｓ１）。ここで、起動信号とは、親機１０から子機５０への呼出信号（例えば、電話回線網１００を介して外部の通信装置からの着信が合った場合の呼出）、あるいは、子機５０から親機１０への発信信号である。起動信号が検知されなかった場合、すなわち、親機１０から子機５０への呼出信号と子機５０から親機１０への発信信号のどちらの信号も検知されなかった場合は（Ｓ１：ＮＯ）、無線通信切断信号の有無が判別される（Ｓ２）。ここで、無線通信切断信号とは、親機１０から子機５０に発信される通話終了信号、あるいは、子機５０から親機１０に発信される通話終了信号である。
【００６０】
無線通信切断信号が検知されなかった場合、すなわち、どちらの通話終了信号も検知されなかった場合は（Ｓ２：ＮＯ）、親機１０からの画像送信要求の有無が判別される（Ｓ３）。画像送信要求が検知されなかった場合は（Ｓ３：ＮＯ）、メニュー表示指示の有無が判別される（Ｓ４）。メニュー表示指示は、子機５０の操作ボタン５４から入力される。メニュー表示指示が検知されなかった場合（Ｓ４：ＮＯ）、子機名更新処理を行い（Ｓ５）、ステップＳ１に戻り、以後、ステップＳ１〜ステップＳ５が繰り返される。子機名更新処理については後述する。
【００６１】
起動信号が検知された場合、すなわち、親機１０から子機５０への呼出信号が検知された場合、または、子機５０から親機１０への発信信号が検知された場合は（Ｓ１：ＹＥＳ）、無線通信を介して親機１０と子機５０とが接続され（Ｓ６）、ステップＳ１に戻る。この接続により、子機５０は、親機１０との内線通話や親機１０を介した外線通話を行うことができる。この内線通話や外線通話が行われている期間においても、本子機動作処理が繰り返し実行される。続いて、無線通信切断信号が検知された場合、すなわち、どちらかの通話終了信号が検出された場合は（Ｓ２：ＹＥＳ）、無線通信を介した親機１０と子機５０との接続が切断され（Ｓ７）、ステップＳ１に戻る。
【００６２】
画像送信要求が検知された場合は（Ｓ３：ＹＥＳ）、送信処理が行われ（Ｓ８）、ステップＳ１に戻る。この送信処理については後述する。また、メニュー表示指示が検知された場合は（Ｓ４：ＹＥＳ）、メニュー選択処理が開始され（Ｓ９）、ステップＳ１に戻る。なお、メニュー選択処理は、子機動作処理と平行して実行され、子機動作処理は継続される。したがって、メニュー選択処理の実行中であっても、親機１０からの起動信号等の検出は可能である。
【００６３】
このメニュー選択処理では、上記したように、子機５０の表示パネル５３に子機メニュー画面が表示される。使用者が操作ボタン５４の操作により各種メニューを選択すると、選択されたメニューの処理が実行される。子機選択メニューには、上記したように、子機５０に子機名を設定する「子機名設定メニュー」や、子機５０が載置される充電器８０に充電器名を設定するための「充電器名設定メニュー」等が含まれている。
【００６４】
図６は、子機名更新処理を示すフローチャートである。この処理により、子機５０の子機名は、常に、載置されている充電器８０の充電器名と一致することになる。
【００６５】
まず、子機５０が充電器８０に載置されているか否かが判別される（Ｓ１１）。この判別は、子機５０のデータ転送用端子５６が、充電器８０のデータ転送用端子８２に接続しているか否かで判別される。子機５０は、充電器８０から電源供給を受けていなくても、親機１０から画像送信要求を受信した場合、子機名を返信するので、子機名が充電器名で更新されている必要がある。よって、子機５０が充電器８０に載置されているが電源供給を受けていない場合も載置されていないと判別される、電圧監視部７７が計測した電圧による判別は、不適当である。
【００６６】
子機５０が充電器８０に載置されていると判別された場合は（Ｓ１１：ＹＥＳ）、充電器８０のＥＥＰＲＯＭ８４から充電器名の読み出しが行われ（Ｓ１２）、充電器名が設定されているか否かが判別される（Ｓ１３）。充電器名が設定されている場合（Ｓ１３：ＹＥＳ）、充電器８０のＥＥＰＲＯＭ８４から読み出された充電器名と子機５０のＥＥＰＲＯＭ６１ｂから読み出された子機名との比較が行われ（Ｓ１４）、充電器名と子機名が同じか否かが判別される（Ｓ１５）。充電器名と子機名が違う場合（S１５：ＮＯ）、ＥＥＰＲＯＭ６１ｂの子機名をＥＥＰＲＯＭ８４の充電器名に書き換えて（Ｓ１６）、子機名更新処理は終了される。なお、充電器名が設定されている場合（Ｓ１３：ＹＥＳ）、ステップＳ１４、Ｓ１５の充電器名と子機名との比較を行わずに、子機名を充電器名で書き換える処理にしてもよい。
【００６７】
充電器名と子機名が同じ場合（Ｓ１５：ＹＥＳ）、子機名は書き換えられず、子機名更新処理は終了される。また、充電器名が設定されていない場合（Ｓ１３：ＮＯ）、表示パネル５３に、「充電器に充電器名が設定されていない」旨が表示され（Ｓ１７）、子機名は「名称設定なし」を示す文字列のデータに書き換えられて（Ｓ１８）、子機名更新処理は終了される。子機５０が充電器８０に載置されていないと判別された場合は（Ｓ１１：ＮＯ）、子機名の更新はできないので、子機名更新処理は終了される。
【００６８】
図７は、送信処理を示すフローチャートである。この処理は、親機１０から画像送信要求があった場合、返信するために子機５０の制御部６１で実行される処理である。
【００６９】
まず、子機５０が、充電器８０に載置され、かつ、電源供給を受けているか否かが判別される（Ｓ２１）。この判別は、電圧監視部７７が計測した電圧に基づいて判別される。すなわち、当該電圧が、ＥＥＰＲＯＭ６１ｂに記憶されている電圧判定値以上である場合は、子機５０が充電器８０に載置され、かつ、電源供給を受けていると判別され、電圧判定値未満である場合は、子機５０が充電器８０に載置されていないか、電源供給を受けていないと判別される。
【００７０】
子機５０が、充電器８０に載置され、かつ、電源供給を受けていると判別された場合（Ｓ２１：ＹＥＳ）、子機５０の充電量が十分であるか否かが判別される（Ｓ２２）。この判別は、電力残量監視部７３が計測した、子機５０のバッテリ７１に蓄えられている電力の残量値に基づいて判別される。すなわち、電力残量監視部７３により計測された残量値が、ＥＥＰＲＯＭ６１ｂに記憶されている電力残量判定値以上である場合は、子機５０の充電量は十分であると判別され、電力残量判定値未満である場合は、子機５０の充電量は不足していると判別される。
【００７１】
子機５０の充電量が十分であると判別された場合（Ｓ２２：ＹＥＳ）、カメラ５８により、設置場所の画像が撮像され（Ｓ２３）、当該画像データと子機名データとが親機１０に送信され（Ｓ２４）、送信処理は終了される。具体的には、撮像された画像データは子機５０のＲＡＭ６１ａに一旦蓄積される。蓄積された画像データと、ＥＥＰＲＯＭ６１ｂに記憶されている子機名データとが、無線通信部６９から無線通信により親機１０に送信される。
【００７２】
子機５０の充電量が不足していると判別された場合（Ｓ２２：ＮＯ）、カメラ５８による撮像は行われず、「充電不足」の旨を示す信号と、子機名データとが、親機１０に送信され（Ｓ２５）、送信処理は終了される。
【００７３】
子機５０が、充電器８０に載置されていないか、電源供給を受けていないと判別された場合（Ｓ２１：ＮＯ）、子機５０が通話中か否かが判別される（Ｓ２６）。通話中の場合（Ｓ２６：ＹＥＳ）、カメラ５８による撮像は行われず、「通話中」の旨を示す信号と、子機名データとが、親機１０に送信され（Ｓ２７）、送信処理は終了される。通話中でない場合（Ｓ２６：ＮＯ）、子機５０は、充電器８０に載置されずに放置されているか、載置されている充電器８０が商用電源９０に接続されていない場合や、故障している場合で、電源供給を受けていないかである。よって、この場合もカメラ５８による撮像は行われず、「充電不可能」の旨を示す信号と、子機名データとが、親機１０に送信され（Ｓ２８）、送信処理は終了される。
【００７４】
次に、親機１０の制御部２１が実行する親機動作処理の手順について、図８に示すフローチャートを参照して説明する。図８は、本実施形態に係る親機１０の制御部２１で実行される親機動作処理を示すフローチャートである。なお、この親機動作処理は、親機１０が商用電源９０に接続されて電源供給を受け、制御部２１が起動することにより開始され、電源供給を受けなくなるまで繰り返し実行される処理である。
【００７５】
制御部２１が起動すると、まず、起動信号の有無が判別される（Ｓ３１）。ここで、起動信号とは、親機１０から子機５０への発信信号、あるいは、子機５０から親機１０への呼出信号である。起動信号が検知されなかった場合、すなわち、親機１０から子機５０への発信信号と子機５０から親機１０への呼出信号のどちらの信号も検知されなかった場合は（Ｓ３１：ＮＯ）、無線通信切断信号の有無が判別される（Ｓ３２）。ここで、無線通信切断信号とは、親機１０から子機５０に発信される通話終了信号、あるいは、子機５０から親機１０に発信される通話終了信号である。
【００７６】
無線通信切断信号が検知されなかった場合、すなわち、どちらの通話終了信号も検知されなかった場合は（Ｓ３２：ＮＯ）、回線接続信号の有無が判別される（Ｓ３３）。ここで、回線接続信号とは、親機１０から電話通信網１００へ送信された発呼信号、および、電話通信網１００から親機１０へ送信された着呼信号である。回線接続信号が検知されなかった場合、すなわち、親機１０から電話通信網１００へ送信された発呼信号と電話通信網１００から親機１０へ送信された着呼信号のどちらの信号も検知されなかった場合は、（Ｓ３３：ＮＯ）、回線切断信号の有無が判別される（Ｓ３４）。ここで、回線切断信号とは、親機１０から電話通信網１００に送信された通話終了信号、および、電話通信網１００から親機１０に送信された通話終了信号である。
【００７７】
回線切断信号が検知されなかった場合、すなわち、どちらの通話終了信号も検知されなかった場合は（Ｓ３４：ＮＯ）、メニュー表示指示の有無が判別される（Ｓ３５）。メニュー表示指示は、親機１０の操作ボタン１４から入力される。メニュー表示指示が検知されなかった場合（Ｓ３５：ＮＯ）、画像表示処理を行い（Ｓ３６）、ステップＳ３１に戻り、以後、ステップＳ３１〜ステップＳ３６が繰り返される。画像表示処理については後述する。
【００７８】
起動信号が検知された場合、すなわち、親機１０から子機５０への発信信号が検知された場合、または、子機５０から親機１０への呼出信号が検知された場合は（Ｓ３１：ＹＥＳ）、無線通信を介して親機１０と子機５０とが接続され（Ｓ３７）、ステップＳ３１に戻る。この接続により、親機１０は、子機５０との内線通話を行うことができる。無線通信切断信号が検知された場合、すなわち、どちらかの通話終了信号が検出された場合は（Ｓ３２：ＹＥＳ）、無線通信を介した親機１０と子機５０との接続が切断され（Ｓ３８）、ステップＳ３１に戻る。
【００７９】
回線接続信号が検知された場合、すなわち、親機１０から電話通信網１００へ送信された発呼信号が検知された場合、または、電話通信網１００から親機１０へ送信された着呼信号が検知された場合は（Ｓ３３：ＹＥＳ）、親機１０は電話通信網１００に接続され（Ｓ３９）、ステップＳ３１に戻る。この接続により、親機１０は、電話通信網１００を介して外線通話を行うことができる。回線切断信号が検知された場合、すなわち、どちらかの通話終了信号が検出された場合は（Ｓ３４：ＹＥＳ）、親機１０の電話通信網１００への接続が切断され（Ｓ４０）、ステップＳ３１に戻る。
【００８０】
メニュー表示指示が検知された場合は（Ｓ３５：ＹＥＳ）、メニュー選択処理が開始され（Ｓ４１）、ステップＳ３１に戻る。なお、メニュー選択処理は、親機動作処理と平行して実行され、親機動作処理は継続される。したがって、メニュー選択処理の実行中であっても、電話回線網１００からの着信信号等の検出は可能である。
【００８１】
メニュー選択処理では、親機１０の表示パネル１３に親機メニュー画面が表示される。この画面上において、使用者が操作ボタン１４の操作により希望するメニューを選択すると、その選択されたメニューの処理が実行される。このメニュー画面においては、例えば、ＥＥＰＯＭ２１ｂに格納されている電話帳データ（図示せず）に対して新規に電話番号を登録したり、着信音や保留音の設定等といった電話・ＦＡＸ機能に関する詳細な設定を行うことができる他、本実施形態においては、子機５０を監視カメラとして機能させる場合（子機カメラモード）の設定を行う「子機選択メニュー」が表示される。
【００８２】
「子機選択メニュー」が選択されると、親機１０の制御部２１は、各子機５０に対して確認信号を送出し、それに対する応答信号を受けることにより、各子機５０が作動中であるかを調べ、作動中の子機５０の識別番号と子機名を表示パネル１３に表示させる。ここで使用者が操作ボタン１４の操作により選択した子機５０の識別番号がＲＡＭ２１ａに記憶される。制御部２１は、ＲＡＭ２１ａに記憶されている選択された子機５０に対して、撮像された画像データの送信要求を行うことになる。また、選択された子機５０の数に応じて、モニタ１６の画面を分割する制御を行い、送信要求に対して返信された画像データに基づく画像が各画面に表示されることになる（図４参照）。
【００８３】
なお、作動中の子機５０には同じ子機名を持つ子機５０が２以上含まれる場合もある。例えば、充電器「Ａ」に載置されていたが現在どの充電器にも載置されず放置されている子機１と、現在充電器「Ａ」に載置されている子機２とは、共に子機名が「Ａ」となる。このとき、「子機選択」において、表示パネル１３に２つの子機「Ａ」が表示され、使用者が両方の子機「Ａ」を選択したとしても、充電器「Ａ」に載置されていない方の子機１は、カメラ５８による撮像を行わず（図７のステップＳ２８参照）、いずれかの充電器に載置されたとき初めて撮像を行う。
【００８４】
図９は、画像表示処理を示すフローチャートである。この処理はモニタ１６に画像表示を行う処理である。
【００８５】
まず、子機５０を監視カメラとして機能させる「子機カメラモード」がＯＮに設定されているか否かが判別される（Ｓ５０）。このモード設定は、例えば、操作ボタン１４の中の一つのボタンが割り当てられ、それを押下することで設定されたり、親機１０のメニュー画面の中からＯＮに設定されるような構成でもよい。その設定内容は、ＲＡＭ２１ａの所定の領域内に記憶される。ＯＮに設定されていない場合は（Ｓ５０：ＮＯ）、画像表示処理が終了される。また、ＯＮに設定されている場合は（Ｓ５０：ＹＥＳ）、上記「子機選択メニュー」においてモニタ１６に画像を表示するよう選択されているすべての子機５０に、画像送信要求が送信されたか否かが判別される（Ｓ５１）。モニタ１６に表示する子機５０は、「子機選択メニュー」で選択され、ＲＡＭ２１ａに記憶されている。すべての選択された子機５０に画像送信要求をした場合は（Ｓ５１：ＹＥＳ）、画像表示処理が終了される。まだ画像送信要求をしていない子機５０がある場合は（Ｓ５１：ＮＯ）、その子機５０に画像送信要求が送信される（Ｓ５２）。
【００８６】
次に、画像送信要求を行った子機５０からの返信を着信したか否かが判別される（Ｓ５３）。返信を着信しない場合は（Ｓ５３：ＮＯ）、ステップＳ５３に戻る。つまり、画像送信要求を行った子機５０からの返信を着信するまで待つ。なお、所定の時間が経過した場合は、子機５０が故障しているか、無線通信のできない場所にある等、返信できない状態にあると判断し、Ｓ５３のステップを抜け、モニタ１６に「通信不能」の旨を表示させる（Ｓ５４）。
【００８７】
返信を着信した場合は（Ｓ５３：ＹＥＳ）、子機５０の返信に基づいた画像がモニタに表示され（Ｓ５４）、ステップＳ５０に戻る。具体的には、子機５０から返信があり、その内容が撮像した画像データと子機名データの場合は、当該画像と子機名とがモニタ１６に表示される（図４の右上画像と左下画像参照）。子機５０から「充電不足」の旨を示す信号と子機名データとが送信されてきた場合は、「バッテリー残量少」の文字列と子機名とがモニタ１６に表示される（図４の右下画像参照）。子機５０から「通話中」の旨を示す信号と子機名データとが送信されてきた場合は、「通話中」の文字列と子機名とがモニタ１６に表示される（図４の左上画像参照）。子機５０から「充電不可能」の旨を示す信号と子機名データとが送信されてきた場合は、「子機が充電器にセットされていないか、充電器のコンセントが外れています。」の文字列と子機名とがモニタ１６に表示される。
【００８８】
なお、上記実施形態では、子機及び充電器のＥＥＰＲＯＭに名前を記憶させたが、充電器に識別番号を設定し、例えば、図１０に示すように、親機のＥＥＰＲＯＭに識別番号に対応する充電器名のテーブルを設定して、子機が載置されている充電器の識別番号を画像と共に送信するようにしてもよい。この場合、親機は、子機が送信してきた充電器の識別番号を基にテーブルから充電器名を参照して、画像と充電器名を対応付けてモニタに表示すればよい。
【００８９】
また、上記実施形態では、子機が自身の通話状態を判断したが、親機で各子機の通話状態を判断してもよい。この場合、親機は、子機からの返信を待つまでもなく子機の通話状態が判断できるので、通話中の子機に対しては画像送信要求を送信せずに、当該子機の画像として「通話中」の文字列をモニタに表示すればよい。また、各子機の充電状態や載置状態、子機名が定期的に親機に送信されるようにして、親機で集中管理してもよい。この場合、親機は、表示が可能な子機の画像だけを受信すればよく、当該子機に対してのみ画像送信要求を送信すればよい。
【００９０】
また、上記実施形態では、充電器のＥＥＰＲＯＭへの充電器名の書き込み、読み出しを、子機の制御部が行う場合を説明したが、充電器に制御部を設け、子機の制御部の命令に従って、充電器の制御部がＥＥＰＲＯＭへの書き込み、読み出しを行うようにしてもよい。
【００９１】
さらに、上記実施形態では、子機が別の設置場所に移動してしまい、子機から送信される画像と子機名とが一致しなくなる場合を想定し、移動の可能性が低い充電器に設置場所を特定可能な名称を記憶させ、子機が充電器に載置されることで、子機が充電器から設置場所を子機名として取得し、子機自身の子機名の記憶内容を更新する場合を具体的に説明したが、子機が移動される可能性が極めて低い使用形態であれば、充電器に対して必ずしも名称を設定する必要はなく、子機自身にのみ子機名を設定して記憶しておき、常にその子機名データと撮像した画像データとを親機に送信する構成であってもよい。その場合は、図５のフローチャートにおけるＳ５（図６の処理）を省略することができる。
【００９２】
また、その場合、子機の名称は必ずしも子機の操作ボタンから設定し、子機自身に記憶しておく必要はなく、子機には各子機を識別可能な識別情報のみを記憶しておき、親機側で子機の識別情報とその子機名称とを対応つけて管理するように構成してもよい。
【図面の簡単な説明】
【００９３】
【図１】本願発明に係るコードレス電話装置の外観を示す斜視図である。
【図２】本願発明に係るコードレス電話装置の子機と充電器の外観を示す斜視図である。
【図３】本願発明に係るコードレス電話装置の電気的構成を示すブロック図である。
【図４】本願発明に係るコードレス電話装置の親機のモニタの画面表示例である。
【図５】子機の制御部で実行される子機動作処理を示すフローチャートである。
【図６】図５の子機名更新処理を示すフローチャートである。
【図７】図５の送信処理を示すフローチャートである。
【図８】親機の制御部で実行される親機動作処理を示すフローチャートである。
【図９】図８の画像表示処理を示すフローチャートである。
【図１０】親機のＥＥＰＲＯＭに記憶される、識別番号と対応する充電器名のテーブルの例を示す図である。
【符号の説明】
【００９４】
１  コードレス電話装置
１０  親機
１１  親機本体ケース
１２  ハンドセット
１３  表示パネル
１４  操作ボタン
１５  ユーザＩ／Ｆ
１６  モニタ
２１  制御部
２１ａ  ＲＡＭ
２１ｂ  ＥＥＰＲＯＭ
２３  スピーカ
２５  再生部
２７  無線通信部
２９  ＮＵＣ
３１  経路切換部
５０  子機
５１  子機本体ケース
５３  表示パネル
５４  操作ボタン
５５  充電用端子
５６  データ転送用端子
５７  ユーザＩ／Ｆ
５８  カメラ
６１  制御部
６１ａ  ＲＡＭ
６１ｂ  ＥＥＰＲＯＭ
６３  送受話部
６５  再生部
６７  スピーカ
６９  無線通信部
７１  バッテリ
７３  電力残量監視部
７５  充電回路
７７  電圧監視部
８０  充電器
８１  充電器本体
８１ａ  載置用凹部
８２  充電用端子
８３  データ転送用端子
８４  ＥＥＰＲＯＭ
９０  商用電源
１００  電話回線網
【図１】
2008092165.tif 000003
【図２】
2008092165.tif 000004
【図３】
2008092165.tif 000005
【図４】
2008092165.tif 000006
【図５】
2008092165.tif 000007
【図６】
2008092165.tif 000008
【図７】
2008092165.tif 000009
【図８】
2008092165.tif 000010
【図９】
2008092165.tif 000011
【図１０】
2008092165.tif 000012